(57)【要約】【課題】  衛星アンテナが動作している状態で，衛星アンテナが動作している状態で，衛星放送受信用のチューナーから衛星アンテナに送られている電圧にパルス信号が重畳されているか否かを知る為に，オシロスコープのような測定器を必要としない放送信号測定装置を提供する。【解決手段】  衛星放送を受信する衛星アンテナと衛星放送受信用のチューナーの間に接続して，衛星アンテナから送られた信号の大きさを測定する放送信号測定装置において，衛星放送受信用のチューナーから衛星アンテナへ送電する直流電圧に重畳されるパルス信号の有無を検出する手段と，その検出結果を表示する手段を備えた。【選択図】  図１
2005295271.tif 000002
【特許請求の範囲】
【請求項１】
衛星放送を受信する衛星アンテナと衛星放送受信用のチューナーの間に接続して，衛星アンテナから送られた信号を測定する放送信号測定装置において，衛星放送受信用のチューナーから衛星アンテナへ送電する電圧に重畳されるパルス信号の有無を検出する手段と，その検出結果を表示する手段を備えたことを特徴とする放送信号測定装置。
【発明の詳細な説明】
【技術分野】
【０００１】
本発明は，主に衛星放送を受信する場合に利用される放送信号測定装置に関し，詳しくは  衛星放送を受信する衛星アンテナと衛星放送受信用のチューナーの間に接続して，衛星アンテナから送られた信号を測定する放送信号測定装置の測定回路に関する。
【背景技術】
【０００２】
従来の，衛星アンテナから衛星放送受信用のチューナーへ送られた信号を測定するための放送信号測定装置では，衛星放送受信用のチューナーから衛星アンテナに送られた直流電圧に重畳されるパルス信号の有無を検出して，その検出結果を表示する機能が備えられていなかった。
（例えば，特許文献１参照）
【０００３】
【特許文献１】特開平０８−０２３２８６号公報
【発明の開示】
【発明が解決しようとする課題】
【０００４】
従来の，衛星アンテナから衛星放送受信用のチューナーへ送られた信号を測定するための測定装置では，衛星放送受信用のチューナーから衛星アンテナに送られた直流電圧に重畳されるパルス信号の有無を検出して，その検出結果を表示する機能が備えられていなかった。このため，衛星アンテナを動作させながら，衛星放送受信用のチューナーから衛星アンテナに送られている電圧にパルス信号が重畳されているか否かを知る為にはオシロスコープのような測定器が必要だった。また，この測定のためには，測定用の特別な端子を設ける必要があるので容易に測定することができないという問題があった。
【０００５】
そこで本願においては，こうした問題点を解決するためになされたものであり
その目的は，
オシロスコープのような測定器を使用しなくても，衛星放送受信用のチューナーから衛星アンテナに送られた直流電圧に重畳されるパルス信号の有無を検出して，その検出結果を表示することができる放送信号測定装置を提供することを課題とする。
【課題を解決するための手段】
【０００６】
上記課題を解決するために，請求項１の発明は，
衛星放送を受信する衛星アンテナと衛星放送受信用のチューナーの間に接続して，衛星アンテナから送られた信号を測定する放送信号の測定装置において，衛星放送受信用のチューナーから衛星アンテナへ送電する直流電圧に重畳されるパルス信号の有無を検出する手段と，その検出結果を表示する手段を備えている。
【発明の効果】
【０００７】
以上詳述したように，請求項１の発明によれば，
衛星放送を受信する衛星アンテナと衛星放送受信用のチューナーの間に接続して，衛星アンテナから送られた信号を測定する放送信号測定装置において，衛星放送受信用のチューナーから衛星アンテナへ送電する直流電圧に重畳されるパルス信号の有無を検出する手段と，その検出結果を表示する手段を備えているので，
オシロスコープのような測定器を使用しなくても，衛星放送受信用のチューナーから衛星アンテナに送られている直流電圧に重畳されるパルス信号の有無を検出して，その検出結果を表示することができるので，衛星放送受信用のチューナーの動作の確認や途中の伝送線路の不具合の有無の確認が容易にできる。
【発明を実施するための最良の形態】
【０００８】
以下に，本発明を具体化した実施形態の例を，図面を基に詳細に説明する。
【実施例１】
【０００９】
図１は本発明に係る放送信号測定装置１のブロックダイヤグラムである。
はじめに，衛星アンテナから衛星放送受信用のチューナーへ送られる受信信号の流れを説明する。衛星アンテナから放送信号測定装置１の入力端２子に，１５７６ＭＨｚから２０４０ＭＨｚの高周波信号（以下高周波信号と表す）が受信信号として送られる。
放送信号測定装置１の入力端２子には，高周波信号と，直流電圧または周波数が３２ＫＨｚから５３ＫＨｚで約０．６ＶＰ−Ｐのパルス信号（以下パルス信号と表す）が重畳された直流電圧とを分離するための入力側電源分離フィルター３が接続されている。
入力側電源分離フィルター３を経た衛星アンテナからの高周波信号は信号分配器４により分配され，１方は高周波測定回路７に接続されもう１方は高周波信号と，直流電圧またはパルス信号が重畳された直流電圧とを分離するための出力側電源分離フィルター５に接続される。
高周波測定回路７の内部には増幅器や検波器等が備えられ，衛星アンテナから衛星放送受信用のチューナーへ送られた高周波信号についてその強さやＣ/Ｎ等の測定をする。高周波測定回路７から出力された測定の結果は液晶パネルや発光ダイオードなどで構成される表示部１０で表示される。
分配器４から出力側電源分離フィルター５に出力された高周波信号は出力側電源分離フィルター５を経て放送信号測定装置１の出力端子６に出力される。
【００１０】
次に，衛星放送受信用のチューナーから衛星アンテナに供給される直流電圧の流れについて説明する。
放送信号測定装置１の出力端子６には，衛星放送受信用のチューナーから，衛星アンテナに備えられた周波数変換器の電源を供給するための直流電圧が供給される。この電圧には２つの状態があり，その電圧の状態により，衛星アンテナに備えられた周波数変換器が受信する垂直または水平の偏波を選択する。衛星放送受信用のチューナーから出力される直流電圧をＶＴとすると，例えば，第１の状態として９．５Ｖ＜ＶＴ＜１２．０Ｖ，第２の状態として１３．５Ｖ＜ＶＴ＜１６．５Ｖが用いられる。第１の状態は垂直偏波を指定し，第２の状態は水平偏波を指定している。
出力側電源分離フィルター５で分離された直流電圧は入力側電源分離フィルター３に接続され，放送信号測定装置１の入力端子２を経て衛星アンテナへ送られる。
出力側電源分離フィルター５で分離された直流電圧は，基準電圧発生回路１２で作られた基準電圧とともに，電圧判別回路１１に入力される。基準電圧を基にして，電圧判別回路１１では電圧の状態を判別する。
例えば，基準電圧として，９．５Ｖ，１２．０Ｖ，１３．５Ｖ，１６．５Ｖを設ける。第１の状態として９．５Ｖ＜ＶＴ＜１２．０Ｖ，第２の状態として１３．５Ｖ＜ＶＴ＜１６．５Ｖ，第３の状態としてそれ以外の電圧条件を設定する。判別回路１１に入力された電圧はこれらの状態のいずれかに判別され，その結果が表示部に表示される。また，電圧判別回路１１は電圧計の機能も備えており，出力側電源分離フィルター５で分離された直流電圧の値をそのまま表示部１０に表示させることもできる。
図２は表示部１０に表示された例を示す。
そして，出力側電源分離フィルター５で分離された直流電圧の出力は電源部１３にも接続される。電源部１３は高周波測定回路７や表示部１０等を動作させるための電源電圧を作り，それぞれの回路に供給している。
【００１１】
衛星放送受信用のチューナーから衛星アンテナに送られている直流電圧の値を変えて，受信する偏波を選択する方式の衛星アンテナを使用する場合，衛星放送受信用のチューナーから衛星アンテナに送られた電圧値によって，衛星アンテナから出力されるそれぞれの偏波の受信信号は切り換えられる。
例えば，チューナーから衛星アンテナに送られた電圧値ＶＴが第１の状態（９．５Ｖ＜ＶＴ＜１２．０Ｖ）のときには，衛星アンテナで受信した垂直偏波の信号が出力され，チューナーから衛星アンテナに送られた電圧値ＶＴが第２の状態（１３．５Ｖ＜ＶＴ＜１６．５Ｖ）のときには衛星アンテナで受信した水平偏波の信号が出力される。図２の表示例ではチューナーから衛星アンテナに送られた電圧値ＶＴが第２の状態（１３．５Ｖ＜ＶＴ＜１６．５Ｖ）であることを示している。
このように，本実施例の放送信号測定装置１では，チューナーから衛星アンテナに送られた電圧値がどの電圧の状態であるかを判別するとともに，チューナーから衛星アンテナに指定している偏波の種類を直接読み取ることもできる。
また，チューナーから衛星アンテナに送られた電圧値が適正でない場合や，途中の伝送線路の電圧降下が大きくて，チューナーで指定した電圧の状態にならない場合も一目で確認することができる。
【００１２】
次に，衛星放送受信用のチューナーから衛星アンテナへ送電する直流電圧に重畳されるパルス信号の有無を検出する回路について説明する。
複数の衛星からの信号を受信する場合には，受信する衛星に対応する周波数変換器を選択するために，衛星放送受信用のチューナーから衛星アンテナに供給する直流電圧
にパルス信号が重畳される。その方法は，例えば，ＣＳ放送の受信において，ＪＣＳＡＴ−３の衛星から送られる信号を受信する場合はこのパルス信号の重畳はしない。また，ＣＳ放送の受信において，ＪＣＳＡＴ−４Ａの衛星から送られる信号を受信する場合はパルス信号を重畳する。
衛星放送受信用のチューナーから衛星アンテナへ送電する電圧に重畳されるパルス信号の有無を検出するため，放送信号測定装置１は，パルス検出回路９とパルス信号処理回路８を備えている。
パルス検出回路９には，出力側電源分離フィルター５で分離された直流電圧が入力される。パルス検出回路９は，周波数が３２ＫＨｚから５３ＫＨｚの信号を通過させ，直流成分を阻止するフィルターで構成されている。
パルス検出回路９の出力は，図示されていない検波器，パルス用基準電圧発生回路及び電圧比較回路で構成されるパルス信号処理回路８に入力される。
【００１３】
出力側電源分離フィルター５で分離された直流電圧にパルス信号が重畳されている場合には，パルス検出回路９で，パルス信号のみ抽出され，パルス信号処理回路８に入力される。
パルス信号処理回路８で検波された電圧が予め設定した基準電圧より大きい場合は，パルス信号の重畳が有ると判定され，その結果を表示部１０に出力する。図２はこのときの表示例である。パルス信号の重畳が有ることを発光ダイオードの点灯で示している。
パルス信号処理回路８で検波された電圧が予め設定した基準電圧より小さい場合は，パルス信号の重畳が無いと判定され，その結果を表示部１０に出力する。この場合は発光ダイオードは点灯しない。
【００１４】
尚，本発明は上記実施の形態に限定されるものではなく，本発明の趣旨を逸脱しない範囲で各部の回路構成を適宜に変更して実施することも可能である。
例えば，電圧値の状態の条件及び基準電圧，直流電圧に重畳するパルス信号の周波数及び振幅電圧は上記実施例と異なっても良い。また，パルス信号の代わりに正弦波の信号を用いても良い。また，分配器４の代わりに分岐器や方向性結合器を用いても良い。
更に，判別した電圧の状態及びパルス重畳の有無の表示方法は他の方法でも良い。
【図面の簡単な説明】
【００１５】
【図１】本発明に係る放送信号の測定装置のブロックダイヤの１例を示す。
【図２】本発明に係る放送信号の測定装置の表示の１例を示す。
【符号の説明】
【００１６】
１…放送信号の測定装置，２…入力端子，３…入力側電源分離フィルター，４…分配器，５…出力側電源分離フィルター，６…出力端子，７…高周波測定回路，８…パルス信号処理回路，９…パルス検出回路，１０…表示部，１１…電圧判別回路，１２…基準電圧発生回路，１３…電源部。
【図１】
2005295271.tif 000003
【図２】
2005295271.tif 000004